(57)【要約】      （修正有）【課題】保全業務に用いる絶縁測定装置を用いる事無く、測定対象体を用いて事前調査を含む一連の測定作業が出来るようにする。【解決手段】漏電表示機能付分電盤と接地極線を主とした負荷側回路に接続された接地線Ｇと中性相線Ｎ間の漏電(分岐漏電ブレーカは検出しない)において、操作釦で主幹ブレーカを開放と、中性相Ｎ側スイッチと電圧Ｌ側切換スイッチを開放と、放電スイッチの投入と開放で中性相幹線Ｅ３の帯電は放電とし、操作釦で回路表示手段点灯の分岐漏電ブレーカを開放と、負荷側回路に接続された接地線Ｇと中性相線Ｎ間及び接地線Ｇと電源線Ｌ間漏電回路表示手段と、を備えた漏電表示機能付分電盤の接地極線Ｇと、複数の測定用端子と、ＡＣ電圧を用いた固定装置と、漏れ電流測定機器と、漏電測定結果のアナウンス手段と、漏電電流測定メモリー手段と、漏電電流測定メモリーの測定結果を出力する供給管理方法。【選択図】図１
2012078271.tif 000002
【特許請求の範囲】
【請求項１】
給電側変圧器と当該変圧器の２次側巻線と中性線側を大地に接地する接地線で接地と、
電路の負荷側接地端子においても大地に接地線で接地を施すＴＴ接地方式の低圧側配電線
電路で受電している漏電表示機能付分電盤と、接地極線Ｇを主とした負荷側回路に接続し
た接地極付コンセントと、前記漏電表示機能付分電盤の接地極線Ｇと、複数の測定用端子
と、１次送り回路に接続の充電機能付電源装置と、ＡＣ電圧を用いた電圧制限を印加する
印加手段と、を具備し、共に作動する構成とし、例えば、漏電表示機能付分電盤の接地線
Ｇと電源線Ｌ間の漏電では、分岐漏電ブレーカは、検出開放であって、接地極線Ｇを主と
した負荷側回路に接続された接地線Ｇと中性相線Ｎ間の漏電では(分岐漏電ブレーカは、検出しない)において、ガイダンス操作釦は主幹ブレーカを開放と、１次送り回路中性相Ｎ側スイッチと電圧Ｌ側切換スイッチは開放とし、放電スイッチ投入と開放で中性相幹線Ｅ３の帯電は放電する測定手段とし、電圧Ｌ側切換スイッチは投入と、前記中性相幹線Ｅ３にＡＣ電圧を用いた電圧制限を印加する印加手段とし、漏電回路表示手段は点灯と、前記負荷側回路に接続された接地線Ｇと中性相線Ｎ間と、接地線Ｇと電源線Ｌ間の漏電回路表示手段と、前記漏電表示機能付分電盤の接地極線Ｇと、複数の測定用端子と、ＡＣ電圧を用いた固定装置と、を備えたことを特徴とする漏電電流状態を測定する装置。
【請求項２】
手動音声ガイダンス操作釦で漏電回路表示手段が点灯の分岐漏電ブレーカは開放と、負
荷側回路に接続された接地線Ｇと中性相線Ｎ間と、接地線Ｇと電源線Ｌ間の漏電回路表示
手段と、を備えた漏電表示機能付分電盤の接地極線Ｇと、複数の測定用端子と、ＡＣ電圧
を用いた固定装置と、漏れ電流測定機器と、漏電測定結果のアナウンス手段と、漏電電流
測定メモリー手段と、前記メモリーの測定結果を、所有者登録した所有者と製造事業者に
提供と、を備えたことを特徴とする供給管理方法。 
【発明の詳細な説明】
【技術分野】
【０００１】
接地極線を主とした配電線電路と、低圧電気設備の漏電電流状態を測定する装置及び事前調査を含む一連の測定作業が出来る、漏れ電流測定と、を備えた供給管理方法に関するものである。
【背景技術】
【０００２】
例えば「電気用品安全法における電気用品の技術上の基準を定める省令の取扱い細則」
や「ＩＥＣ６０３３５−１：１９９４の国際標準規格」では、電気用品(測定対象体)に接
続される２本の交流電源線(以下、「電源線」ともいう)のうちいずれか一本と電気用品の外装(露出充電部)との間の漏れ電流を測定する旨が指示されている、この種の漏れ電流を測定可能な漏れ電流測定装置がある(特許文献１参照)なお、漏れ電流計及び装置が開示されている(特許文献２参照)また、低圧電気設備の漏電電流状態を測定する装置が開示されている(特許文献３参照)。
【先行技術文献】
【特許文献】
【０００３】
【特許文献１】特開平１０−２４６６４５号公報
【特許文献２】特開２００４−１３８５６５号公報
【特許文献３】特開２０１０−９１５８１号公報
【発明の概要】
【発明が解決しようとする課題】
【０００４】
しかしながら、給電側変圧器と変圧器の２次側巻線と中性線側を大地に接地する接地線
で接地し、電路の負荷側接地端子においても大地に接地線で接地を施すＴＴ接地方式の低
圧側配電線設備で供給している低圧電力供給に対し、サービス向上と原価低減(効率化)の
相反する課題が要求されているが、現在、低圧電気設備の漏電電流状態を測定する固定装
置がなく、電気設備の主任技術者及び電気工事者等の人的作業に頼るなどして効率が悪く、しかも内線規定による主幹を漏電ブレーカとした分電盤及び配電盤を設置したお客様(顧客)より、漏電地絡により作動し開放(停電)状態で、迅速な停電復旧依頼に対し、現在は、電気設備の主任技術者及び電気工事者等が、保全業務に用いる絶縁測定装置等で対応する、サービスになっている。
【０００５】
しかもお客様が、機器のスイッチ操作での短絡漏電(接地線Ｇと電源線Ｌ間の短絡)は、
主幹の漏電ブレーカは開放するが、前記機器のスイッチは保持しない、また、機器の漏電(接地線Ｇと中性相線Ｎ間の漏電)状態は、前記主幹漏電ブレーカは検出しない(公知)ので、電気設備の主任技術者及び電気工事者等が戸別にブレーカ操作で対応するサービスでは、復帰操作を行う場合見落とすおそれがある。
【０００６】
また、保全業務に用いる絶縁測定装置等のＤＣ電流を利用した、低圧電気設備の漏電電
流状態を測定する装置がよく知られているが、保全業務に用いる絶縁測定装置には(注意事項として、不用意に用いると情報機器等や家電機器が損傷する)と取扱説明書に記載されている、なお、保全業務に用いる絶縁測定装置は、測定対象体にメガーＤＣ電圧が直接挿入されない様な配慮が不可欠であるが、固定装置とするには構成上困難であるという問題点を有している、したがって、事前の調査をふくむ一連の測定作業を行うＡＣ電圧を用いた固定装置が必要である。
【０００７】
本発明は、保全業務に用いる絶縁測定装置等を用いる事無く、測定対象体を用いて事前
調査を含む一連の測定作業が出来る、接地極線を主とした配電線電路と、ＡＣ電圧を用い
た固定装置と、低圧電気設備の漏れ電流測定と、を備えた供給管理方法を提供する。
これにより上記の問題点を解決する、接地極線を主とした配電線電路と、ＡＣ電圧を用いた固定装置と、漏れ電流測定装置と、を備えた漏電電流状態を測定する装置。
例えば、需要家による、手動音声ガイダンス操作釦で漏電回路表示手段が点灯の分岐漏電
ブレーカは開放と、負荷側回路に接続された接地線Ｇと中性相線Ｎ間と、接地線Ｇと電源
線Ｌ間の漏電回路表示手段と、接地極線を主とした配電線電路に接続の接地付きコンセン
ト又はプラグ等に水が浸入し、トラッキング状態と、前記に接続の所有者登録した所有製
品が古くなると部品等が劣化し(経年劣化)と、を備えた、漏電電流状態を測定する方法。
【０００８】
なお、経済産業省の関連情報として、所有者登録した所有者とは、消費生活用製品安全
法の改正に伴い創設された制度です。
平成２１年４月１日からスタートした、事故を防ぎ、長く安全に使うために「長期使用製
品安全点検制度」で、製品が古くなると部品等が劣化し(経年劣化)、火災や死亡事故を起
こすおそれがあります。「長期使用製品安全点検制度」では、メーカーに所有者登録する
ことで、適切な時期に点検通知が届きますので、点検を受けましょう。現在下記の対象製
品(特定保守製品)を購入した場合は、メーカーに所有者登録をしましょう。
対象製品(特定保守製品)電気は、ビルトイン式電気食器洗機：浴室用電気乾燥機。石油は、石油給湯機：石油風呂釜：ＦＦ式石油温風暖房機。ガスは、屋内式ガス瞬間湯沸器(都市ガス用/プロパンガス用)：屋内式ガス風呂釜(都市ガス用/プロパンガス用)。
なお、注意事項として  平成２１年４月１日からは、現在お使いの製品も点検可能です、
詳しくはメーカーにお尋ねください (平成２１年４月１日よりも前に製造・輸入された製
品) 経済産業省  重要なお知らせ(保存版)より
【０００９】
なお、所有者登録した所有者とは、消費生活用製品安全法の改正に伴い創設された制度
に伴い、漏電表示機能付分電盤に、トランスレス電圧制限装置と、接地極線を主とした配
電線電路と、前記漏電表示機能付分電盤の接地極線Ｇと、複数の測定用端子と、ＡＣ電圧
を用いた固定装置と、を具備し、例えば水中ポンプ等の機器の経年劣化を、手動音声ガイ
ダンス操作釦で、漏電回路表示手段が点灯の分岐漏電ブレーカは開放と、負荷側回路に接
続された接地線Ｇと中性相線Ｎ間と、接地線Ｇと電源線Ｌ間の漏電回路表示手段と、を具
備し、漏電表示機能付分電盤の接地極線Ｇと、複数の測定用端子と、ＡＣ電圧を用いた固
定装置と、漏れ電流測定機器と、漏電測定結果のアナウンス手段と、漏電測定メモリー手
段と、前記メモリー測定結果を、所有者登録した所有者と製造事業者に提供と、を備えた
供給管理方法が実現出来ます。
【課題を解決するための手段】
【００１０】
請求項１記載は、給電側変圧器と当該変圧器の２次側巻線と中性線側を大地に接地する接地線で接地と、電路の負荷側接地端子においても大地に接地線で接地を施すＴＴ接地方式の低圧側配電線電路で受電している漏電表示機能付分電盤と、接地極線Ｇを主とした負荷側回路に接続した接地極付コンセントと、を具備し、前記漏電表示機能付分電盤の接地極線Ｇと、複数の測定用端子と、１次送り回路に接続の充電機能付電源装置と、ＡＣ電圧を用いた電圧制限を印加する印加手段と、を備え共に作動する構成とした。
【００１１】
例えば、漏電表示機能付分電盤の接地線Ｇと電源線Ｌ間の漏電では、分岐漏電ブレーカ
は、検出開放であって、接地極線Ｇを主とした負荷側回路に接続された接地線Ｇと中性相
線Ｎ間の漏電では(分岐漏電ブレーカは、検出しない)において、ガイダンス操作釦は主幹
ブレーカを開放と、１次送り回路中性相Ｎ側スイッチと電圧Ｌ側切換スイッチは開放とし、放電スイッチ投入と開放で中性相幹線Ｅ３の帯電は放電と、を備えた測定手段。
【００１２】
次に、手動音声ガイダンス操作釦で電圧Ｌ側切換スイッチは投入と、中性相幹線Ｅ３に
ＡＣ電圧を用いた電圧制限を印加する印加手段とし、漏電回路表示手段は点灯と、前記負
荷側回路に接続された接地線Ｇと中性相線Ｎ間と、接地線Ｇと電源線Ｌ間の漏電回路表示
手段と、を具備し、前記漏電表示機能付分電盤の接地極線Ｇと、複数の測定用端子と、Ａ
Ｃ電圧を用いた固定装置と、を備えた漏電電流状態を測定する装置。
【００１３】
なお、請求項２記載は、手動音声ガイダンス操作釦で漏電回路表示手段が点灯の分岐漏電ブレーカは開放と、負荷側回路に接続された接地線Ｇと中性相線Ｎ間と、接地線Ｇと電源線Ｌ間の漏電回路表示手段と、を具備し、漏電表示機能付分電盤の接地極線Ｇと、複数の測定用端子と、ＡＣ電圧を用いた固定装置と、漏れ電流測定機器と、漏電測定結果のアナウンス手段と、漏電電流測定メモリー手段と、前記メモリーの測定結果を、所有者登録した所有者と製造事業者に提供と、を備えた供給管理方法。
【００１４】
なお、上記の構成は需要家側の資産になり、高圧配電線から変圧器を介して一般家庭の
電気を供給している、接地極線を主とした配電線電路と、低圧電気設備と、における漏電
電流状態を測定するＡＣ電圧を用いた固定装置を採用するには、高圧受電設備と低圧配電
線路と低圧電気設備と、を備えた供給資産管理をする電気設備の主任技術者は、漏れ電流
測定装置等と、を備えた供給管理方法になります。
【発明の効果】
【００１５】
現在頻発しているゲリラ的集中豪雨に対し、現在の分電盤（主幹・漏電ブレーカ）は、
例えば、床上浸水等で電気設備が被災し、主幹漏電ブレーカが開放し、その後の対策とし
て分岐ブレーカを開放し、主幹漏電ブレーカを投入する回路点検対策は、分岐回路に、0.1秒流れてからの検出開放となり、事故箇所においての第３者傷害の危険性がある。
本願の、漏れ電流測定と、を備えた供給管理方法は、浸水等で電気設備が被災し、分岐漏
電ブレーカが開放と点検回路とし、主幹ブレーカはＤＣ遮断する機能と、ＡＣ電圧を用い
た固定装置と、を備えた、漏れ電流回路点検とし、回路点検作業においては、データ機器
等の情報機器の損傷が防げる効果があります。
【００１６】
現在普及している、再開送電で遮断する地震対策主幹漏電ブレーカ分電盤は、地震等による高圧配電線路において地絡により保護区間となり、地絡事故解消後の再開送電は、前記地震対策主幹漏電ブレーカ分電盤は、分岐回路に、0.1秒流れてからの検出遮断となり、地震で電気設備が被災した状態においては、同時多発の危険性がある。
なお、本願の漏れ電流測定と、を備えた供給管理方法は、震度５強で主幹ブレーカを開放
と、供給が所定時間停止しますと、主幹ブレーカをＤＣ開放する機能と、ＡＣ電圧を用い
た固定装置と、を備えた、漏れ電流回路点検とし、回路点検作業においては、データ機器
等の情報機器の損傷が防げる効果があります。
【００１７】
地震発生後、不在家屋及び在宅家屋では、地震で電気設備が被災した状態においては、本願の漏れ電流測定と、を備えた供給管理方法は、震度５強で主幹ブレーカを開放する１次送り回路と、供給が所定時間停止しますと、主幹ブレーカをＤＣ開放する機能と、ＡＣ電圧を用いた固定装置と、を備えた、漏れ電流回路点検とし、回路点検作業においてはデータ機器等情報機器の損傷が防げる効果があります。
【００１８】
なお、通常は、分岐漏電ブレーカが作動し、警報ブザーや表示装置と、を備えデータ機
器等のバックアップ後に、遮断ボタンを操作し、主幹ブレーカを開放し、その後は、ＡＣ
電圧を用いた固定装置と、を備えた、漏れ電流回路点検とし、回路点検作業においては、
データ機器等情報機器の損傷が防げる効果があります。
【００１９】
次に、通常は、ガイダンス操作釦で、漏電回路表示手段で点灯表示と、分岐漏電ブレー
カを開放と、負荷側回路に接続された接地線Ｇと中性相線Ｎ間と、接地線Ｇと電源線Ｌ間
と、漏電回路表示手段と、を具備し、漏電表示機能付分電盤の接地極線Ｇと、複数の測定
用端子と、ＡＣ電圧を用いた固定装置と、漏れ電流測定機器と、漏電測定結果のアナウン
ス手段と、漏電電流測定メモリー手段と、前記メモリーの測定結果を、所有者登録した所
有者と製造事業者に提供と、を備えた供給管理方法となる効果があります。
【００２０】
また、供給が所定時間停止しますと、引き込み開閉器に、発電機等の電気を切り替え供
給し、供給が所定時間停止しますと、主幹ブレーカをＤＣ開放する機能と、を具備し、一
次送り回路と、ＡＣ電圧を用いた固定装置と、を備えた、漏れ電流回路点検とし、回路点
検作業においては、データ機器等情報機器の損傷が防げる効果と、を備え、発電機の供給
用量に応じた、負荷回路を選択できる効果があります。
【図面の簡単な説明】
【００２１】
【図１】施工後のダミー測定対象体Ｘ１Ｎ等を用いた回路図
【図２】施工後のダミー測定対象体Ｘ２Ｌ等を用いた回路図
【発明を実施するための形態】
【００２２】
発明を実施するための形態は、接地極線を主とした配電線電路の低圧電気設備の漏電電
流状態を測定する装置と、を備えた、配線図「参考として第1図」を電気設備の主任技術
者が確認と、負荷回路等のバランスを指導し、施工後のダミー測定対象体を用いた回路図
と点検データの提出を、電気設備の主任技術者が、配線図と、点検データを、データ処理
装置に入力することで、ＴＴ接地方式の低圧側配電線電路で供給している低圧電力供給に
対し、サービス向上と原価低減(効率化)の相反する課題に対する、需要家の所有者登録し
た所有機器と、トラッキング等の負荷回路と、を備えた、供給後の損傷に対し、漏電表示
機能付分電盤の接地極線に設けられた測定用端子と、ＡＣ電圧を用いた固定装置と、漏れ
電流測定器と、を備え電気設備の主任技術者が、故障箇所の供給管理を行いやすくなる。
なお、接地付きコンセント等と、接続スイッチより分岐配線とし、ＩＣタグ付きとする事
で、所有者登録した所有機器又は漏電破損箇所等の修復がしやすくなる。
【実施例１】
【００２３】
なお、施工後の「ダミー測定対象体」を用いた回路図(参考として第1図)を参照にした
構成と操作手段を説明する。
【００２４】
漏電表示機能付分電盤に、トランスレス電圧制限装置と接地極線Ｇを主とした負荷側回路に接続したＩＣタグ付き接地極付コンセントと、を備えた、例えば、漏電表示機能付分電盤の接地線Ｇと電源線Ｌ間の漏電では、分岐漏電ブレーカは、検出開放であって、接地極線Ｇを主とした負荷側回路に接続された接地線Ｇと中性相線Ｎ間の漏電では(分岐漏電ブレーカは、検出しない)において、ガイダンス操作釦は主幹ブレーカを開放と、１次送り回路中性相Ｎ側スイッチと電圧Ｌ側切換スイッチは開放とし、放電スイッチ投入と開放で中性相幹線Ｅ３の帯電は放電する測定手段とし、負荷側回路に接続された接地線Ｇと中性相線Ｎ間と、接地線Ｇと電源線Ｌ間の漏電回路表示手段と、を具備し、漏電表示機能付分電盤の接地極線Ｇと複数の測定用端子と、ＡＣ電圧を用いた固定装置と、漏れ電流測定器と、漏電測定証明書と、所有者登録した所有者に提供と、を備えた供給管理方法。
【実施例２】
【００２５】
請求項１記載は、給電側変圧器と当該変圧器の２次側巻線と中性線側を大地に接地する接地線で接地と、電路の負荷側接地端子においても大地に接地線で接地を施すＴＴ接地方式の低圧側配電線電路で受電している漏電表示機能付分電盤と、接地極線Ｇを主とした負荷側回路に接続したＩＣタグ付き接地極付コンセントと、前記漏電表示機能付分電盤の接地極線Ｇと、複数の測定用端子と、１次送り回路に接続の充電機能付電源装置と、ＡＣ電圧を用いた電圧制限を印加する印加手段と、を具備し、共に作動する構成とした。
【実施例３】
【００２６】
例えば、漏電表示機能付分電盤の、接地線Ｇと電源線Ｌ間の漏電では、分岐漏電ブレーカは、検出開放であって、接地極線Ｇを主とした負荷側回路に接続された接地線Ｇと中性相線Ｎ間の漏電では(分岐漏電ブレーカは、検出しない)において、ガイダンス操作釦は主幹ブレーカを開放と、１次送り回路中性相Ｎ側スイッチと電圧Ｌ側切換スイッチは開放とし、放電スイッチ投入と開放で中性相幹線Ｅ３の帯電は放電する測定手段とし、手動音声ガイダンス操作釦で電圧Ｌ側切換スイッチは投入と、中性相幹線Ｅ３にＡＣ電圧を用いた電圧制限を印加する印加手段とし、漏電回路表示手段は点灯と、負荷側回路に接続された接地線Ｇと中性相線Ｎ間と、接地線Ｇと電源線Ｌ間の漏電回路表示手段と、を具備し、前記漏電表示機能付分電盤の接地極線Ｇと、複数の測定用端子と、ＡＣ電圧を用いた固定装置と、を備えた漏電電流状態を測定する装置。
【実施例４】
【００２７】
なお、請求項２記載は、手動音声ガイダンス操作釦で漏電回路表示手段が点灯の分岐漏電ブレーカは開放と、負荷側回路に接続された接地線Ｇと中性相線Ｎ間と、接地線Ｇと電源線Ｌ間の漏電回路表示手段と、を具備し、漏電表示機能付分電盤の接地極線Ｇと、複数の測定用端子と、ＡＣ電圧を用いた固定装置と、漏れ電流測定機器と、漏電測定結果のアナウンス手段と、漏電電流測定メモリー手段と、前記メモリーの測定結果を、所有者登録した所有者と製造事業者に提供と、を備えた供給管理方法であって、事前の調査を含む一連の測定作業を行うＡＣ電圧を用いた固定装置とする事が出来る。
【実施例５】
【００２８】
なお、事前の調査を含む一連の測定作業を行うＡＣ電圧を用いた固定装置は、接地線Ｇ
と中性相線Ｎ間における構成は(参考として第1図)、各々の分岐ブレーカ回路の先端部に、プロープが接続された測定対象体Ｘ１Ｎとし、接地線Ｇと電源線Ｌ間の構成は(参考として第２図)、各々の分岐ブレーカ回路の先端部に、プロープが接続された測定対象体Ｘ２Ｌと、を具備し、測定対象体Ｘ１Ｎ及びＸ２Ｌと、を備えた、測定対象体の漏れ電流測定と、を可能にする構成とされている。
【実施例６】
【００２９】
なお、接地線Ｇと中性相線Ｎ間と、接地線Ｇと電源線Ｌ間の漏電は、例えば、複数の測
定対象体Ｘ１Ｎ及び測定対象体Ｘ２Ｌと、複数の分岐漏電ブレーカと漏電回路表示手段と、各素子の接続状態を切り替えるための複数のリレーと、を具備し、制御部によって複数のリレーがオン／オフ制御されることにより、トランスレス電圧制限装置で印加する印加手段とし、中性相幹線Ｅ３に接続の分岐開閉器の漏電回路表示手段は点灯し、前記負荷側回路に接続された接地線Ｇと中性相線Ｎ間と、接地線Ｇと電源線Ｌ間の漏電回路表示手段と、を具備し、漏電表示機能付分電盤の接地極線Ｇと、複数の測定用端子と、ＡＣ電圧を用いた固定装置と、漏れ電流測定機器と、漏電測定結果のアナウンス手段と、漏電電流測定メモリー手段と、前記メモリーの測定結果を、所有者登録した所有者と製造事業者に提供と、を備えた供給管理方法。
【実施例７】
【００３０】
次に、手動音声ガイダンス操作釦で漏電回路表示手段が点灯の分岐漏電ブレーカは開放
と、負荷側回路に接続された接地線Ｇと中性相線Ｎ間と、接地線Ｇと電源線Ｌ間の漏電回
路表示手段と、を具備し、漏電表示機能付分電盤の接地極線Ｇと、複数の測定用端子と、
ＡＣ電圧を用いた固定装置と、漏れ電流測定機器と、漏電測定結果のアナウンス手段と、
漏電電流測定メモリー手段と、前記メモリーの測定結果を、所有者登録した所有者と製造
事業者に提供と、を備えた供給管理方法であって、事前の調査を含む一連の測定作業を行
うＡＣ電圧を用いた固定装置とする事が出来る。
【実施例８】
【００３１】
なお、事前の調査を含む一連の測定作業を行うＡＣ電圧を用いた固定装置における、施
工後の「ダミー測定対象体」を用いた回路図(参考として第1図)を参照して、操作方法と
構成を説明する。
【実施例９】
【００３２】
なお、接地線側Ｇおよび接地線Ｇと中性相線Ｎ間における漏電電流測定方法の構成は(参
考として第1図)、各々の分岐ブレーカ回路の先端部に、プロープが接続された測定対象体
Ｘ１Ｎとし、接地線Ｇと電源線Ｌ間の漏電電流測定方法の構成は(参考として第２図)、各々
の分岐ブレーカ回路の先端部に、プロープが接続された測定対象体Ｘ２Ｌと、を具備し、
測定対象体Ｘ１Ｎ及びＸ２Ｌと、を備えた、漏電電流測定方法。
【実施例１０】
【００３３】
次に、手動音声ガイダンス操作釦で漏電表示機能付分電盤の主幹ブレーカを開放と、手動音声ガイダンス操作釦で１次送り回路の中性相Ｎ側スイッチと電圧Ｌ側切換スイッチは開放とし、電圧Ｌ側切換スイッチに接続したトランスレス電圧制限装置で印加する印加手段とし、開放された主幹ブレーカの負荷側中性相幹線Ｅ３に接続と、電路の負荷側接地端子と放電スイッチは、前記負荷側中性相幹線Ｅ３に接続とし、手動音声ガイダンス操作釦で放電スイッチ投入と開放で中性相幹線Ｅ３の帯電を放電する測定手段とし、手動音声ガイダンス操作釦で電圧Ｌ側切換スイッチは、前記負荷側中性相幹線Ｅ３に投入と、前記中性相幹線Ｅ３にトランスレス電圧制限を印加する印加手段とし、漏電回路表示手段は点灯し、負荷側回路に接続された接地線Ｇと中性相線Ｎ間と、接地線Ｇと電源線Ｌ間の漏電回路表示手段と、を具備し、漏電表示機能付分電盤の接地極線Ｇと、複数の測定用端子と、ＡＣ電圧を用いた固定装置と、１次送り回路に接続の充電機能付電源装置と、を備え、共に作動する構成とした漏電電流状態を測定する装置。
【実施例１１】
【００３４】
なお、手動音声ガイダンス操作釦で漏電回路表示手段が点灯の分岐漏電ブレーカは開放
と、負荷側回路に接続された接地線Ｇと中性相線Ｎ間と、接地線Ｇと電源線Ｌ間の漏電回
路表示手段と、を具備し、漏電表示機能付分電盤の接地極線Ｇと、複数の測定用端子と、
ＡＣ電圧を用いた固定装置と、漏れ電流測定機器と、漏電測定結果のアナウンス手段と、
漏電電流測定メモリー手段と、前記メモリーの測定結果を、所有者登録した所有者と製造
事業者に提供と、を備えた供給管理方法。
【実施例１２】
【００３５】
なお、(参考として第1図)記載の充電機能付き電源装置は、単相３線式供給を「多数の電源を含む回路の各部の電流、または電圧は各電源が一つずつ単独に存在すると仮定して求めた電流又は電圧を重ね合わせたものに等しい」という定理は、電源が正弦波である場合に限らず一般に成立する(重ね合わせの理ともいう)」 と、を備えた充電機能付き電源装置のRとLとCの供給は、交流正弦波を重ね合わせの理で、前記充電機能付き電源装置に交流正弦波供給が維持される。
【実施例１３】
【００３６】
また、(参考として第1図)記載のトランスレス電圧制限を印加する印加手段は、１次送り回路の負荷電圧L側に接続したトランスレス電圧制限装置と、漏電表示手段LED と、を備えた「保護ヒューズに並列接続の交流上り側LEDと、交流下り側LEDと交流を一方向とする、一方向交流を直列接続のネオンランプの陽極から陰極へ流れ陰極側がグロー点灯で形成され、かつ、交流波形の変形は交流７０Vで点灯し、交流上り側＋３５Vと交流下り側
−３５Vを交流一方向にするトランスレス電圧制限」と、手動音声ガイダンス操作釦で電圧Ｌ側切換スイッチで負荷側中性相幹線Ｅ３に投入し、トランスレス電圧制限を印加する印加手段とし、漏電回路表示手段は点灯し、前記負荷側回路に接続された接地線Ｇと中性相線Ｎ間と、接地線Ｇと電源線Ｌ間の漏電回路表示手段と、を具備し、前記漏電表示機能付分電盤の接地極線Ｇと、複数の測定用端子と、ＡＣ電圧を用いた固定装置と、を備えた１次送り回路に接続の充電機能付き電源装置と、共に作動する構成とした。
【実施例１４】
【００３７】
なお、(参考として第1図)に記載の、負荷側回路に接続された接地線Ｇと中性相線Ｎ間と、接地線Ｇと電源線Ｌ間の漏電回路表示手段は、トランスレス電圧制限を印加する印加
手段と、手動音声ガイダンス操作釦における漏電回路点検手段は、「電線中における自由
電子は、電荷を運ぶ担い手にすぎない」という定理と、前記トランスレス電圧制限を印加
する印加手段は、回路に流れる電流は必ず「行き」と「帰り」とがある、電流は瞬時に負
荷まで届いて帰るから、その途中に検出部(ZCT負荷側漏電回路表示)を設け、ここを通過する「行き」と「帰り」の電流を測り、その差を見つけ出す定理で、中性相幹線Ｅ３にトランスレス電圧制限を印加する印加手段とし、漏電回路表示手段は点灯し、前記負荷側回路に接続された接地線Ｇと中性相線Ｎ間と、接地線Ｇと電源線Ｌ間の漏電回路表示手段と、を具備し、漏電表示機能付分電盤の接地極線Ｇと、複数の測定用端子と、ＡＣ電圧を用いた固定装置と、を備えた１次送り回路に接続の充電機能付き電源装置と、共に作動する構成とした。
【実施例１５】
【００３８】
なお、手動音声ガイダンス操作釦で漏電回路表示手段が点灯の分岐漏電ブレーカは開放と、負荷側回路に接続された接地線Ｇと中性相線Ｎ間と、接地線Ｇと電源線Ｌ間の漏電回
路表示手段と、を具備し、漏電表示機能付分電盤の接地極線Ｇと、複数の測定用端子と、
ＡＣ電圧を用いた固定装置と、漏れ電流測定機器と、漏電測定結果のアナウンス手段と、
漏電電流測定メモリー手段と、前記メモリーの測定結果を、所有者登録した所有者と製造
事業者に提供と、を備えた供給管理方法であって、事前の調査をふくむ一連の測定作業を
行うＡＣ電圧を用いた固定装置とする事が出来る。
【産業上の利用可能性】
【００３９】
本発明の手動音声ガイダンス操作釦は、漏電回路表示手段が点灯の分岐漏電ブレーカを開放と、負荷側回路に接続された接地線Ｇと中性相線Ｎ間と、接地線Ｇと電源線Ｌ間の漏
電回路表示手段と、を備えた漏電表示機能付分電盤の接地極線Ｇと、複数の測定用端子と、ＡＣ電圧を用いた固定装置と、漏れ電流測定機器と、漏電測定結果のアナウンス手段と、漏電電流測定メモリー手段と、前記メモリーの測定結果を、所有者票で登録した所有者と製造事業者に提供と、を備えた供給管理方法であって、事前の調査をふくむ一連の測定作業を行うＡＣ電圧を用いた固定装置とする事が出来る。
【００４０】
なお、接地極線を主とした配電線電路の低圧電気設備の漏電電流状態を測定する装置と、を備えた、配線図(参考として第1図)を電気設備の主任技術者が、負荷回路等のバランス
を指導し、施工後のダミー測定対象体等を用いた回路図データと、点検データと、をデー
タ装置に入力とし、お客様番号を付与し、前記お客様番号をナビゲーションシステムに入
力することで、需要家の所有する所有者票登録の機器と、トラッキング等負荷側回路に接
続された接地極線を主とした配電線電路と、を備えた、配線図において、手動音声ガイダ
ンス操作釦で漏電回路表示手段が点灯の分岐漏電ブレーカは開放と、負荷側回路に接続さ
れた接地線Ｇと中性相線Ｎ間と、接地線Ｇと電源線Ｌ間の漏電回路表示手段と、を具備し、漏電表示機能付分電盤の接地極線Ｇと、複数の測定用端子と、ＡＣ電圧を用いた固定装置と、漏れ電流測定機器と、漏電測定結果のアナウンス手段と、漏電電流測定メモリー手段と、前記メモリーの測定結果を、所有者登録した所有者と製造事業者に提供と、を備えた供給管理方法とし、事前の調査をふくむ一連の測定作業を行うＡＣ電圧を用いた固定装置とする事が出来る。
【００４１】
なお、お客様番号を用いた地図ソフトで供給管理業務が行いやすくなると共に、光ファイバー線と接地線と共に配線することで、お客様番号を主としたインターネットビジネス
が行える。
【符号の説明】
【００４２】
６１  給電側変圧器
６２  変圧器の２次側巻線
６３  中性線側
６４  中性線側接地線
６５  電路の負荷側接地端子
６６  電力量計
６８  負荷側接地線
１０  １次送り回路
２０  主幹ブレーカ
３０  分岐漏電ブレーカ
４０  回路表示手段
Ｄ１  トランスレス電圧制限装置
Ｄ２  トランスレス電圧制限装置
b１  漏れ電流測定用端子
b２  漏れ電流測定用端子
Ｂ１  漏電電流測定装置
Ｂ２  漏電電流測定装置
Ｅ３  負荷中性相幹線
Ｌ  電源相幹線
Ｌ  電源相幹線
Ｊ１  充電機能付き電源装置
Ｈ  ブレーカ操作部
Ｐ  操作部
ＲＳ  赤外線信号受信装置
Ｒ  リモコン操作器
ＩＣ  接地極付コンセント
Ｂ  漏電表示機能付き分電盤
Ｘ１Ｎ  ダミー測定対象体
Ｘ２Ｌ  ダミー測定対象体 
【図１】
2012078271.tif 000003
【図２】
2012078271.tif 000004
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
給電側変圧器と変圧器の２次側巻線と中性線側を大地に接地する接地線で接地し、電路の負荷側接地端子においても大地に接地線で接地を施すＴＴ接地方式で受電している漏電表示機能付き分電盤の接地極線Ｇ及び漏れ電流測定用端子と、分岐漏電ブレーカ負荷側回路と、接地極付コンセントと、１次送り回路に接続した充電機能付き電源装置で構成し、分岐漏電ブレーカは、負荷側回路に接続した、電気機器の中性極Ｎと接地極Ｇ間に流れる漏れ電流は検出しない状態において、１次送り回路に接続した交流制限電圧電流を中性相幹線に印加手段で印加し、分岐漏電ブレーカの負荷側回路に接続した中性極Ｎと接地極Ｇ間に流れる状態の漏れ電流と分岐漏電ブレーカ負荷側の回路表示点灯手段とからなる漏れ電流測定手段であって、操作釦(16)で主幹ブレーカを開放スイッチで開放し、操作釦(17)は、１次送り回路の中性極Ｎ側スイッチ及び電源極Ｌ側切換スイッチ開放と、操作釦(15)で放電スイッチを投入及び開放し、中性相幹線の帯電放電手段とを、具備し、操作釦(18)で、電源極Ｌ側切換スイッチを投入と、中性相幹線に交流制限電圧電流を印加手段で印加し、分岐漏電ブレーカの負荷側回路に接続した電気機器の中性極Ｎと接地極Ｇ間に流れる状態の漏れ電流と、分岐漏電ブレーカ負荷側の回路表示点灯手段とを備えた、漏れ電流測定装置。
【請求項２】
分岐漏電ブレーカは、負荷側の回路に接続した、電気機器の中性極Ｎと接地極Ｇ間に流れる漏れ電流は検出しない状態において、交流制限電圧電流と負荷側の回路表示点灯手段と、中性相幹線の帯電を放電する手段と、１次送り回路に接続した交流制限電圧電流を中性相幹線に印加手段で印加し、分岐漏電ブレーカの負荷側回路に接続した、中性極Ｎと接地極Ｇ間に流れる状態の漏れ電流と分岐漏電ブレーカ負荷側の回路表示点灯手段と漏れ電流測定手段であって、操作釦(20)で、回路表示点灯手段で回路表示点灯した、分岐漏電ブレーカを開放及び投入で分岐漏電ブレーカの負荷側回路に接続した、電気機器の中性極Ｎと接地極Ｇ間及び接地極Ｇと電源極Ｌ間に流れる状態の漏れ電流と分岐漏電ブレーカ負荷側の回路表示点灯手段とを、具備し、分岐漏電ブレーカ負荷側回路に流れる状態の漏れ電流を、漏電表示機能付き分電盤の接地極線Ｇと漏れ電流測定用端子において、漏れ電流測定手段と、アナウンス手段及びメモリー手段と、測定出力手段とを備えた、漏れ電流測定方法。
【手続補正２】
【補正対象書類名】明細書
【補正対象項目名】全文
【補正方法】変更
【補正の内容】
【発明の詳細な説明】
【技術分野】
【０００１】
本発明の分岐漏電ブレーカは、負荷側の回路に接続した、電気機器の中性極Ｎと接地極Ｇ間の漏れ電流は検出しない状態において、１次送り回路に接続した交流制限電圧電流を中性相幹線に印加手段で印加し、分岐漏電ブレーカ負荷側の回路に接続した、中性極Ｎと接地極Ｇ間に流れる状態の漏れ電流と分岐漏電ブレーカ負荷側の回路表示点灯手段と漏れ電流測定装置とを備えた、漏れ電流測定方法に関する。
【背景技術】
【０００２】
例えば「電気用品安全法における電気用品の技術上の基準を定める省令の取扱い細則」や「ＩＥＣ６０３３５−１：１９９４の国際標準規格」では、電気用品(測定対象体)に接続される２本の交流電源線(以下、「電源線」ともいう)のうちいずれか一本と電気用品の外装(露出充電部)との間の漏れ電流を測定する旨が指示されている、この種の漏れ電流を測定可能な漏れ電流測定装置がある(特許文献１参照)なお、漏れ電流計及び装置が開示されている(特許文献２参照)また、低圧電気設備の漏電電流状態を測定する装置が開示されている(特許文献３参照)。
【先行技術文献】
【特許文献】
【０００３】
【特許文献１】特開平１０−２４６６４５号公報
【特許文献２】特開２００４−１３８５６５号公報
【特許文献３】特開２０１０−９１５８１号公報
【発明の概要】
【発明が解決しようとする課題】
【０００４】
しかしながら、図1に記載の、給電側変圧器(61)と変圧器の２次側巻線(62)と中性線側(63)を大地に接地する接地線(64)で接地し、電路の負荷側接地端子(65)においても大地に接地線(68)で接地を施すＴＴ接地方式の交流電源線路供給に対し、サービス向上と原価低減(効率化)の相反する課題が要求されているが、分岐漏電ブレーカの負荷側回路に接続した電気用品(測定対象体)における中性極Ｎと接地極Ｇ間の漏れ電流を測定する装置がなく、電気設備の主任技術者及び電気工事者等の人的作業に頼るなどして効率が悪く、しかも内線規定による主幹は漏電ブレーカ又は分岐漏電ブレーカ分電盤及び配電盤を設置した、お客様(顧客)より、漏電地絡により作動し開放(停電)状態で、迅速な停電復旧依頼に対し、現在は電気設備の主任技術者及び電気工事者等が、保全業務に用いる絶縁測定装置等で対応するサービスになっている。
【０００５】
しかもお客様が、機器のスイッチ操作で、電源極Ｌと接地極Ｇ間における短絡は、主幹の漏電ブレーカは機能するが、前記機器のスイッチは保持しない、また、分岐漏電ブレーカ負荷側回路に接続した、電気機器等の中性極Ｎと接地極Ｇ間の漏れ電流状態は、主幹漏電ブレーカ及び分岐漏電ブレーカも検出しない(公知)ので、電気設備の主任技術者及び電気工事者等が戸別に対応するサービスでは、復旧操作を行う場合見落とすおそれがある
【０００６】
なお、主幹漏電ブレーカ及び分岐漏電ブレーカの負荷側回路に接続した、電気機器等に対して、保全業務に用いる絶縁測定装置の取扱説明書には注意事項として、不用意に用いると情報機器や家電機器が損傷すると記載されている。
【０００７】
本発明の分岐漏電ブレーカは、負荷側回路に接続した、電気機器の中性極Ｎと接地極Ｇ間に流れる漏れ電流は検出しない状態において、１次送り回路に接続した交流制限電圧電流を中性相幹線に印加手段で印加し、分岐漏電ブレーカ負荷側回路に接続した、中性極Ｎと接地極Ｇ間に流れる状態の漏れ電流と分岐漏電ブレーカ負荷側の回路表示点灯手段と漏れ電流測定装置とを備えた、漏れ電流測定方法を提供することを課題としている。
【課題を解決するための手段】
【０００８】
上記の課題を解決するため、本件発明の請求項１では、給電側変圧器と変圧器の２次側巻線と中性線側を大地に接地する接地線で接地し、電路の負荷側接地端子においても大地に接地線で接地を施すＴＴ接地方式で受電している漏電表示機能付き分電盤の接地極線Ｇ及び漏れ電流測定用端子と、分岐漏電ブレーカ負荷側回路と、接地極付コンセントと、１次送り回路に接続した充電機能付き電源装置で構成し、分岐漏電ブレーカは、負荷側回路に接続した、電気機器の中性極Ｎと接地極Ｇ間に流れる漏れ電流は検出しない状態において、１次送り回路に接続した交流制限電圧電流を中性相幹線に印加手段で印加し、分岐漏電ブレーカ負荷側回路に接続した、中性極Ｎと接地極Ｇ間に流れる状態の漏れ電流と分岐漏電ブレーカ負荷側の回路表示点灯手段とを備えた、漏れ電流測定手段になる。
【０００９】
上記漏れ電流の測定状態において、操作釦(16)は、主幹ブレーカを開放スイッチで開放と、操作釦(17)で１次送り回路の中性極Ｎ側スイッチ及び電源極Ｌ側切換スイッチ開放と、操作釦(15)で放電スイッチを投入及び開放とを、具備し、中性相幹線の帯電放電手段とする。
【００１０】
なお、上記中性相幹線の帯電放電状態において、操作釦(18)は、電源極Ｌ側切換スイッチを投入と、中性相幹線に交流制限電圧電流を印加手段で印加し、分岐漏電ブレーカの負荷側回路に接続した電気機器の中性極Ｎと接地極Ｇ間に流れる状態の漏れ電流と、分岐漏電ブレーカ負荷側の回路表示点灯手段を備えた、漏れ電流測定装置とする。
【００１１】
請求項２では、分岐漏電ブレーカは、負荷側の回路に接続した、電気機器の中性極Ｎと接地極Ｇ間に流れる漏れ電流は検出しない状態において、交流制限電圧電流と負荷側の回路表示点灯手段と、中性相幹線の帯電を放電する手段と、１次送り回路に接続した交流制限電圧電流を中性相幹線に印加手段で印加し、分岐漏電ブレーカ負荷側に接続した中性極Ｎと接地極Ｇ間に流れる状態の漏れ電流と分岐漏電ブレーカ負荷側の回路表示点灯手段と漏れ電流測定手段であって、操作釦(20)で、回路表示点灯手段で回路表示点灯した、分岐漏電ブレーカを開放及び投入で分岐漏電ブレーカ負荷側回路に接続した、電気機器の中性極Ｎと接地極Ｇ間及び接地極Ｇと電源極Ｌ間に流れる状態の漏れ電流と分岐漏電ブレーカ負荷側の回路表示点灯手段とを、具備し、分岐漏電ブレーカ負荷側回路に流れる状態の漏れ電流を、漏電表示機能付き分電盤の接地極線Ｇと漏れ電流測定用端子において、漏れ電流測定手段と、アナウンス手段及びメモリー手段と、測定出力手段とを備えた、漏れ電流測定方法になる。
【発明の効果】
【００１２】
本発明は、漏電表示機能付き分電盤の接地極線Ｇ及び漏れ電流測定用端子と、負荷側回路と、接地極付コンセントと、１次送り回路に接続した充電機能付き電源装置で構成し、分岐漏電ブレーカは、負荷側回路に接続した、電気機器の中性極Ｎと接地極Ｇ間に流れる漏れ電流は検出しない状態において、１次送り回路に接続した交流制限電圧電流を中性相幹線に印加手段で印加し、分岐漏電ブレーカ負荷側回路に接続した中性極Ｎと接地極Ｇ間に流れる状態の漏れ電流と分岐漏電ブレーカ負荷側の回路表示点灯手段と漏れ電流測定手段を、提供することを課題としている。
なお、１．建築内装材、主として金属の軽量天井材及び金属間仕切り材に係わる配線材ＶＡケーブル等が破損し、分岐漏電ブレーカは、接地線Ｇと中性相線Ｎ間に流れる漏れ電流を検出しない状態及び分岐漏電ブレーカは、検出する接地極Ｇと電源極Ｌ間に流れる状態の漏れ電流測定装置になる。
また、２．漏電表示機能付き分電盤の接地極線Ｇと漏れ電流測定用端子と、負荷側回路に流れる状態の漏れ電流測定手段と、アナウンス手段及びメモリー手段と、測定出力手段を備えた、漏れ電流測定方法になる。
【図面の簡単な説明】
【００１３】
【図１】測定対象体Ｘ１Ｎに流れる状態の漏れ電流測定手段の回路図
【図２】測定対象体Ｘ２Ｌに流れる状態の漏れ電流測定手段の回路図
【発明を実施するための形態】
【００１４】
分岐漏電ブレーカは、接地線Ｇと中性相線Ｎ間の漏れ電流を検出しない状態及び分岐漏電ブレーカは、検出する接地極Ｇと電源極Ｌ間の漏れ電流測定装置であって、交流制限電圧電流と分岐漏電ブレーカ負荷側の回路表示点灯手段と漏れ電流測定手段と中性相幹線の帯電放電手段と、を備えた漏れ電流状態を計測する装置とで構成している、前記構成を、第１図及び第２図の回路図を参照して説明する。
【００１５】
１次送り回路に接続した交流制限電圧電流を、中性相幹線に印加手段で印加し、分岐漏電ブレーカ負荷側回路に接続の、中性極Ｎと接地極Ｇ間に流れる状態の漏れ電流測定装置は、図１においては、各々の先端部のプローブがそれぞれに接続した測定用ケーブル、１４a，１４ｂ，１４ｃ，スイッチ１５a、測定抵抗１６(漏れ短絡１)を測定対象体Ｘ１Ｎとし、また、分岐漏電ブレーカ負荷側回路に接続の、接地極Ｇと電源極Ｌ間に流れる状態の漏れ電流測定装置は、図２においては、各々の先端部のプローブがそれぞれに接続した測定用ケーブル、２４a，２４ｂ，２４ｃ，スイッチ２５a，測定抵抗２６(漏れ短絡２)を測定対象体Ｘ２Ｌとし、各々の測定対象体についての漏れ電流状態を測定可能にする構成としている。
【００１６】
したがって、測定抵抗１６(漏れ短絡１)及び測定抵抗２６(漏れ短絡２)と、複数の分岐漏電ブレーカと負荷側の回路表示手段と、これらの各素子の接続状態を切り替えるための複数のリレーを備え、制御部によって各リレーがオン／オフ制御することにより、中性相幹線に交流制限電圧電流を印加手段で印加し、分岐漏電ブレーカ負荷側回路に接続した、電気用品(測定対象体)の中性極Ｎと接地極Ｇ間に流れる状態の漏れ電流と、交流制限電圧電流と分岐漏電ブレーカ負荷側の回路表示点灯手段と漏れ電流測定手段であって、操作釦(16)は、主幹ブレーカを開放スイッチで開放と、操作釦(17)で１次送り回路の中性極Ｎ側スイッチ及び電源極Ｌ側切換スイッチ開放と、操作釦(15)で放電スイッチを投入及び開放し、中性相幹線の帯電放電とを、具備し、分岐漏電ブレーカ負荷側回路に接続した、電気用品(測定対象体)に流れる状態の漏れ電流を測定可能にする構成としている。
【００１７】
なお、分岐漏電ブレーカは、負荷側回路に接続した、電気機器の中性極Ｎと接地極Ｇ間に流れる漏れ電流は検出しない状態において、１次送り回路に接続した交流制限電圧電流を中性相幹線に印加手段で印加し、分岐漏電ブレーカは、負荷側回路に接続した、中性極Ｎと接地極Ｇ間に流れる状態の漏れ電流と分岐漏電ブレーカ負荷側の回路表示点灯手段と漏れ電流測定手段とを、具備し、中性相幹線の帯電放電手段において、操作釦(18)は、電源極Ｌ側切換スイッチを投入と、中性相幹線に交流制限電圧電流を印加手段で印加し、分岐漏電ブレーカは、負荷側回路に接続した、電気機器の中性極Ｎと接地極Ｇ間に流れる状態の漏れ電流と、分岐漏電ブレーカ負荷側の回路表示点灯手段であって、操作釦(20)で、回路表示点灯手段で回路表示点灯した、分岐漏電ブレーカを開放及び投入で分岐漏電ブレーカ負荷側回路に接続した、電気機器の中性極Ｎと接地極Ｇ間及び接地極Ｇと電源極Ｌ間に流れる状態の漏れ電流と分岐漏電ブレーカ負荷側の回路表示点灯手段とを、具備し、分岐漏電ブレーカ負荷側回路に流れる状態の漏れ電流を、漏電表示機能付き分電盤の接地極線Ｇと漏れ電流測定用端子において、漏れ電流測定手段と、アナウンス手段及びメモリー手段と、測定出力手段とを備えた、漏れ電流測定方法になる。
【００１８】
なお、図１，２記載の１次送り回路に接続した充電機能付き電源装置は、単相３線式供給を「多数の電源を含む回路の各部の電流または電圧は、各電源が一つずつ単独に存在すると仮定して求めた電流又は電圧を、重ね合わせたものに等しい」という定理と、前記定理は、ＲとＬとＣで構成されている回路では電源が正弦波である場合に限らず一般に成立する(重ね合わせの理ともいう)と分岐漏電ブレーカの負荷側の回路表示手段とを備えた、漏れ電流測定装置になる、充電機能付き電源装置ＲとＬとＣにおける供給は、交流正弦波を重ね合わせの理で供給し、かつ、一次送り回路に流れる交流正弦波の供給も維持される。
【００１９】
また、図１，２記載の中性極Ｎと接地極Ｇ間に流れる状態の漏れ電流と分岐漏電ブレーカ負荷側の回路表示点灯手段と電圧電流制限表示手段であって、例えば交流110Vを「保護ヒューズにブリッジ接続の複数の抵抗と交流上り側LEDと交流下り側LEDとで交流を一方向とするブリッジと、前記ブリッジに直列接続のネオンランプの陽極から陰極へ抵抗電圧が流れ陰極側がグロー点灯する電圧電流制限とで形成し、かつ、交流110Vによる交流波形変形は、交流70Vで点灯し、交流上り側＋35Vと交流下り側−35V交流とを、一方向に流れるブリッジと、ネオンランプがグロー点灯で流れる交流波形変形を、交流35V電圧電流制限手段とし、印加手段で印加する」前記を、分岐漏電ブレーカの負荷側回路に流れる交流35V電圧電流制限を印加供給手段とし、かつ、分岐漏電ブレーカの負荷側回路に流れる状態の漏れ電流測定手段であって、操作釦(18)は、電源極Ｌ側切換スイッチを投入と、中性相幹線に、交流35V制限電圧電流を印加手段で印加し、電気用品(測定対象体)の中性極Ｎと接地極Ｇ間に流れる状態の漏れ電流と、分岐漏電ブレーカの負荷側の回路表示手段及び回路表示点灯と、分岐漏電ブレーカの負荷側回路に接続した電気用品(測定対象体)の中性極Ｎと接地極Ｇ間及び接地極Ｇと電源極Ｌ間に流れる状態の漏れ電流と分岐漏電ブレーカの負荷側の回路表示手段とを備えた、漏れ電流測定装置になる。
【００２０】
なお、図１，２記載の、分岐漏電ブレーカは、負荷側回路に接続した、電気機器の中性極Ｎと接地極Ｇ間の漏れ電流は検出しない状態において、１次送り回路に接続した交流制限電圧電流を中性相幹線に印加手段で印加し、分岐漏電ブレーカ負荷側回路に接続した、中性極Ｎと接地極Ｇ間に流れる状態の漏れ電流と分岐漏電ブレーカ負荷側の回路表示点灯手段において「電線中における自由電子は、電荷を運ぶ担い手にすぎない、という定理」又は「回路に流れる電流は必ず「行き」と「帰り」がある、電流は瞬時に負荷まで届いて帰るから、その途中に検出部(ZCT負荷側回路表示)を設け、ここを通過する「行き」と「帰り」の電流を測り、その差を見つけ出す定理」前記は分岐漏電ブレーカの負荷側回路に流れる状態の漏れ電流と負荷側の回路表示点灯手段とであって、操作釦(20)は、回路表示点灯手段で負荷側回路表示点灯した、分岐漏電ブレーカを開放及び投入で分岐漏電ブレーカ負荷側回路に接続の、電気用品(測定対象体)の中性極Ｎと接地極Ｇ間及び接地極Ｇと電源極Ｌ間に流れる状態の漏れ電流と分岐漏電ブレーカ負荷側の回路表示点灯手段とを、具備し、分岐漏電ブレーカ負荷側回路に流れる状態の漏れ電流と、漏電表示機能付き分電盤の接地極線Ｇと漏れ電流測定用端子と、漏れ電流測定手段と、アナウンス手段及びメモリー手段と、測定出力手段とを備えた、漏れ電流測定方法になる。
【産業上の利用可能性】
【００２１】
保全業務に用いる絶縁測定装置等の取扱説明書には、分電盤及び配電盤の負荷側回路に接続した情報機器や家電機器に対して、注意として不用意に用いると、前記情報機器や家電機器が損傷すると、記載されている。
本発明は、保全業務に用いる絶縁測定装置等を用いる事無く、しかも分岐漏電ブレーカも負荷側回路に接続した、電気機器の中性極Ｎと接地極Ｇ間に流れる漏れ電流は検出しない状態において、１次送り回路に接続した交流制限電圧電流を中性相幹線に交流制限電圧電流を印加手段で印加し、分岐漏電ブレーカの負荷側回路に接続した、中性極Ｎと接地極Ｇ間に流れる状態の漏れ電流と分岐漏電ブレーカ負荷側の回路表示点灯手段と漏れ電流測定装置とを備えた、漏れ電流測定方法を提供することを主目的とする。
【符号の説明】
【００２２】
６１  給電側変圧器  
６２  変圧器の２次側巻線  
６３  中性線側  
６４  中性線側接地線  
６５  引き込み線  
６６  電力量計  
６７  電路の負荷側接地端子  
６８  負荷側接地線  
Ｅ３  第３種接地  
１  １次送り回路  
３  主幹ブレーカ  
４  分岐漏電ブレーカ  
５  回路表示手段  
２４  分岐漏電ブレーカ  
２５  回路表示手段  
１９  開放スイッチ  
１４  放電スイッチ  
７  中性相Ｎ側切替えスイッチ  
８  中性相Ｎ側電圧電流制限スイッチ  
１１  Ｌ１側切替えスイッチ  
３１  Ｌ２側切替えスイッチ  
９  Ｌ１側電圧電流制限スイッチ  
２９  Ｌ２側電圧電流制限スイッチ  
Ｎ  中性相幹線  
Ｌ１  Ｌ１側幹線  
Ｌ２  Ｌ２側幹線  
１０  Ｌ１側表示手段LED  
１３  Ｌ１側充電機能付き電源装置  
１５  操作釦  
１６  操作釦  
１７  操作釦  
１８  操作釦  
２０  操作釦  
３５  接地極付コンセント  
３５１  電源極Ｌ  
３５２  中性極Ｎ  
３５３  接地極Ｇ  
Ｘ１Ｎ  負荷側回路に接続した接地線Ｇと中性相線Ｎ間に流れる状態の漏れ電流箇所 
Ｘ２Ｌ  負荷側回路に接続した接地線Ｇと電源線Ｌ間に流れる状態の漏れ電流箇所
【手続補正３】
【補正対象書類名】図面
【補正対象項目名】全図
【補正方法】変更
【補正の内容】
【図１】
2012078271.tif 000005
【図２】
2012078271.tif 000006